(57)【要約】【課題】  ユーザによる調整動作モードへの誤設定の発生を抑制することのできる撮影装置、動作モード設定システム及び動作モード設定方法を得る。【解決手段】  デジタルカメラ１０に対し、メーカにおいて調整される際の動作モードである調整動作モード及びユーザにより使用される際の動作モードであるユーザ動作モードの何れの動作モードに設定するかを示す動作モード設定情報を記憶するための無線タグ５６を設けると共に、ＣＰＵ３２により、無線タグ５６によって記憶されている動作モード設定情報により示される動作モードで動作するように制御する。【選択図】        図３
2007081564.tif 000002
【特許請求の範囲】
【請求項１】
メーカにおいて調整される際の動作モードである調整動作モード及びユーザにより使用される際の動作モードであるユーザ動作モードの何れの動作モードに設定するかを示す動作モード設定情報を予め記憶した無線タグと、
前記無線タグによって記憶されている前記動作モード設定情報により示される動作モードで動作するように制御する制御手段と、
を備えた撮影装置。
【請求項２】
請求項１に記載の撮影装置と、
前記無線タグに前記動作モード設定情報を記憶する動作モード記憶手段を備えた動作モード設定装置と、
を含む動作モード設定システム。
【請求項３】
撮影装置に、メーカにおいて調整される際の動作モードである調整動作モード及びユーザにより使用される際の動作モードであるユーザ動作モードの何れの動作モードに設定するかを示す動作モード設定情報を記憶するための無線タグを設けると共に、当該撮影装置により、前記無線タグによって記憶されている前記動作モード設定情報により示される動作モードで動作するように制御し、
動作モード設定装置により、前記無線タグに前記動作モード設定情報を記憶する、
動作モード設定方法。
【発明の詳細な説明】
【技術分野】
【０００１】
本発明は、撮影装置、動作モード設定システム及び動作モード設定方法に係り、特に、メーカにおいて調整される際の動作モードである調整動作モード及びユーザにより使用される際の動作モードであるユーザ動作モードの２つの動作モードを備えた撮影装置と、当該撮影装置の動作モードを設定する動作モード設定システム及び動作モード設定方法に関する。
【背景技術】
【０００２】
近年、ＣＣＤ（Charge Coupled Device）エリアセンサ、ＣＭＯＳ（Complementary Metal Oxide Semiconductor）イメージ・センサ等の撮像素子の高解像度化に伴い、デジタル電子スチルカメラ、デジタルビデオカメラ等のデジタルカメラの需要が急増している。
【０００３】
ところで、この種のデジタルカメラや銀塩写真式カメラ等の撮影装置には、出荷前に調整を行わなければならない部位が数多く存在する。例えば、撮像素子による撮像感度、内蔵電池からの電力を各部に供給する電源回路からの出力電圧値、ホワイトバランス調整を行うためのアンプに対する初期ゲイン値等である。そして、これらの調整を行う際に、デジタルカメラは当該調整用の動作を行う必要がある。
【０００４】
このため、撮影装置には、一般に、上記調整時における動作モード（以下、「調整動作モード」という。）と、製品出荷後のユーザにより使用される際の動作モード（以下、「ユーザ動作モード」という。）との２つの動作モードが用意されている。
【０００５】
従来、以上のような２つの動作モードが用意された撮影装置では、動作モードを調整動作モード及びユーザ動作モードの何れか一方に選択的に切り換えるためのスイッチが設けられており、当該スイッチにより動作モードを切り換えることが一般的であった。
【０００６】
しかしながら、この場合、上記スイッチはユーザによっても切り換えが可能であるため、ユーザにより調整動作モードに誤って設定されてしまう場合があった。
【０００７】
この問題を解決するために適用できる技術として、特許文献１には、カメラ本体との間で無線通信可能に構成された外部装置（同文献では、「アクセサリ」）に関する技術が開示されている。
【０００８】
この技術を適用して、動作モードを無線通信により外部装置から設定するものとすることにより、前述したようなユーザによる調整動作モードへの誤設定を防止することができる。
【特許文献１】特開平１１−２３７６７２号公報
【発明の開示】
【発明が解決しようとする課題】
【０００９】
しかしながら、上記の無線通信によって動作モードを設定する技術では、無線通信を行う際の通信仕様は一般に規格化されており、当該規格の無線通信装置も広く市場に出まわっているため、必ずしもユーザによる調整動作モードへの誤設定の発生を十分に防止することができるとは限らない、という問題点があった。
【００１０】
本発明は上記問題点を解決するためになされたものであり、ユーザによる調整動作モードへの誤設定の発生を抑制することのできる撮影装置、動作モード設定システム及び動作モード設定方法を提供することを目的とする。
【課題を解決するための手段】
【００１１】
上記目的を達成するために、本発明の撮影装置は、メーカにおいて調整される際の動作モードである調整動作モード及びユーザにより使用される際の動作モードであるユーザ動作モードの何れの動作モードに設定するかを示す動作モード設定情報を予め記憶した無線タグと、前記無線タグによって記憶されている前記動作モード設定情報により示される動作モードで動作するように制御する制御手段と、を備えている。
【００１２】
本発明の撮影装置によれば、メーカ（製造業者）において調整される際の動作モードである調整動作モード及びユーザにより使用される際の動作モードであるユーザ動作モードの何れの動作モードに設定するかを示す動作モード設定情報が無線タグによって予め記憶される。なお、上記無線タグは、ＩＣタグ、ＲＦＩＤ（Radio Frequency Identification）タグ、ＩＤタグ、電磁誘導タグ等と呼ばれることもあるが、本明細書では、これらを総称して無線タグという。
【００１３】
そして、本発明では、制御手段により、前記無線タグによって記憶されている前記動作モード設定情報により示される動作モードで動作するように制御される。
【００１４】
すなわち、無線タグの記憶内容を書き換えるには、市場に出まわっていない特殊な装置が必要とされており、本発明では、この無線タグを、動作モード設定情報を記憶するものとして適用することにより、ユーザによる調整動作モードへの誤設定の発生を抑制することができるようにしている。
【００１５】
このように、本発明の撮影装置によれば、メーカにおいて調整される際の動作モードである調整動作モード及びユーザにより使用される際の動作モードであるユーザ動作モードの何れの動作モードに設定するかを示す動作モード設定情報を記憶するための無線タグを備えると共に、前記無線タグによって記憶されている前記動作モード設定情報により示される動作モードで動作するように制御しているので、ユーザによる調整動作モードへの誤設定の発生を抑制することができる。
【００１６】
一方、上記目的を達成するために、本発明の動作モード設定システムは、請求項１に記載の撮影装置と、前記無線タグに前記動作モード設定情報を記憶する動作モード記憶手段を備えた動作モード設定装置と、を含んでいる。
【００１７】
本発明の動作モード設定システムによれば、本発明の撮影装置が備えられており、動作モード設定装置により、前記無線タグに前記動作モード設定情報が動作モード記憶手段によって記憶される。
【００１８】
このように、本発明の動作モード設定システムによれば、動作モード設定装置により、本発明の撮影装置の無線タグに対して前記動作モード設定情報を記憶するようにしているので、動作モード設定装置をメーカのみが有するものとすることにより、ユーザによる調整動作モードへの誤設定の発生を抑制することができる。
【００１９】
一方、上記目的を達成するために、本発明の動作モード設定方法は、撮影装置に、メーカにおいて調整される際の動作モードである調整動作モード及びユーザにより使用される際の動作モードであるユーザ動作モードの何れの動作モードに設定するかを示す動作モード設定情報を記憶するための無線タグを設けると共に、当該撮影装置により、前記無線タグによって記憶されている前記動作モード設定情報により示される動作モードで動作するように制御し、動作モード設定装置により、前記無線タグに前記動作モード設定情報を記憶するものである。
【００２０】
従って、本発明の動作モード設定方法によれば、本発明の動作モード設定システムと同様に作用するので、当該動作モード設定システムと同様に、ユーザによる調整動作モードへの誤設定の発生を抑制することができる。
【発明の効果】
【００２１】
本発明の撮影装置によれば、メーカにおいて調整される際の動作モードである調整動作モード及びユーザにより使用される際の動作モードであるユーザ動作モードの何れの動作モードに設定するかを示す動作モード設定情報を記憶するための無線タグを備えると共に、前記無線タグによって記憶されている前記動作モード設定情報により示される動作モードで動作するように制御しているので、ユーザによる調整動作モードへの誤設定の発生を抑制することができる、という効果が得られる。
【００２２】
また、本発明の動作モード設定システム及び動作モード設定方法によれば、動作モード設定装置により、本発明の撮影装置の無線タグに対して前記動作モード設定情報を記憶するようにしているので、動作モード設定装置をメーカのみが有するものとすることにより、ユーザによる調整動作モードへの誤設定の発生を抑制することができる、という効果が得られる。
【発明を実施するための最良の形態】
【００２３】
以下、図面を参照して、本発明の実施の形態について詳細に説明する。なお、ここでは、本発明の撮影装置を、静止画像の撮影を行うデジタル電子スチルカメラ（以下、「デジタルカメラ」という。）に適用した場合について説明する。
【００２４】
まず、図１を参照して、本実施の形態に係るデジタルカメラ１０の外観上の構成を説明する。
【００２５】
同図に示すように、デジタルカメラ１０の正面には、被写体像を結像させるためのレンズ１２と、撮影する被写体の構図を決定するために用いられるファインダ７０と、が備えられている。また、デジタルカメラ１０の上面には、撮影を実行する際に撮影者によって押圧操作されるレリーズボタン（所謂シャッター）６０と、電源スイッチ６６と、が備えられている。
【００２６】
なお、本実施の形態に係るレリーズボタン６０は、中間位置まで押下される状態（以下、「半押し状態」という。）と、当該中間位置を超えた最終押下位置まで押下される状態（以下、「全押し状態」という。）と、の２段階の押圧操作が検出可能に構成されている。そして、本実施の形態に係るデジタルカメラ１０では、レリーズボタン６０を半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００２７】
一方、デジタルカメラ１０の背面には、前述のファインダ７０の接眼部と、撮影によって得られたデジタル画像データにより示される被写体像や各種メニュー画面、メッセージ等を表示するための液晶ディスプレイ（以下、「ＬＣＤ」という。）３０と、撮影を行うモードである撮影モード及び撮影によって得られたデジタル画像データにより示される被写体像をＬＣＤ３０に表示（再生）するモードである再生モードの何れかのモードに設定する際に操作されるモード切替スイッチ６２と、ＬＣＤ３０の表示領域における上・下・左・右の４方向の移動方向を示す４つの矢印キーを含んで構成された十字カーソルボタン６４と、が備えられている。
【００２８】
更に、デジタルカメラ１０の側面には、撮影によって得られたデジタル画像データが記録可能な可搬型の記録メディアを装着することができるスロットＳＬ１及びスロットＳＬ２が設けられており、デジタルカメラ１０の底面には、後述するクレードル８０との間で所定の無線通信規格（本実施の形態では、ブルートゥース）により通信を行う無線通信部４６と、三脚穴５４と、が設けられている。
【００２９】
次に、図２を参照して、本実施の形態に係るクレードル（Cradle）８０の外観上の構成を説明する。
【００３０】
同図に示すように、クレードル８０は薄型の直方体形状とされたクレードル本体８１を主構成として備えており、クレードル本体８１の上面には、電源スイッチ８２と、デジタルカメラ１０の三脚穴５４に嵌合する円柱状の三脚穴嵌合凸部８３と、が設けられている。なお、クレードル８０は、予め用意された接続ケーブルによってパーソナル・コンピュータ（以下、「ＰＣ」という。）９０及びＤＣ（直流）電源９５に各々個別に接続されている。
【００３１】
以上のように構成されたクレードル８０におけるクレードル本体８１の上面にデジタルカメラ１０を、三脚穴５４に三脚穴嵌合凸部８３を嵌合させた状態で載置すると共に、電源スイッチ８２をオン状態とすることにより、デジタルカメラ１０とＰＣ９０との間の各種情報の授受を容易に行うことができる。
【００３２】
次に、図３を参照して、本実施の形態に係るデジタルカメラ１０の電気系の要部構成を説明する。
【００３３】
同図に示すように、デジタルカメラ１０は、前述のレンズ１２を含んで構成された光学ユニット１３と、レンズ１２の光軸後方に配設されたＣＣＤ１４と、相関二重サンプリング回路（以下、「ＣＤＳ」という。）１６と、入力されたアナログ信号をデジタルデータに変換するアナログ／デジタル変換器（以下、「ＡＤＣ」という。）１８と、を含んで構成されており、ＣＣＤ１４の出力端はＣＤＳ１６の入力端に、ＣＤＳ１６の出力端はＡＤＣ１８の入力端に、各々接続されている。
【００３４】
一方、デジタルカメラ１０は、所定容量のラインバッファを内蔵すると共に入力されたデジタル画像データを後述する第２メモリ４０の所定領域に直接記憶させる制御を行う画像入力コントローラ２０と、デジタル画像データに対して各種画像処理を施す画像信号処理回路２２と、所定の圧縮形式でデジタル画像データに対して圧縮処理を施す一方、圧縮処理されたデジタル画像データに対して圧縮形式に応じた形式で伸張処理を施す圧縮・伸張処理回路２４と、デジタル画像データにより示される画像やメニュー画面等をＬＣＤ３０に表示させるための信号を生成してＬＣＤ３０に供給する一方、ＬＣＤ３０に表示させる画像を示す映像信号（本実施の形態では、ＮＴＳＣ信号）を生成してビデオ出力端子ＯＵＴに出力するビデオ／ＬＣＤエンコーダ２８と、を含んで構成されている。なお、画像入力コントローラ２０の入力端はＡＤＣ１８の出力端に接続されている。
【００３５】
また、デジタルカメラ１０は、デジタルカメラ１０全体の動作を司るＣＰＵ（中央処理装置）３２と、ＡＦ機能を働かせるために必要とされる物理量（本実施の形態では、ＣＣＤ１４による撮像によって得られた画像のコントラスト値。）を検出するＡＦ検出回路３４と、ＡＥ機能及びＡＷＢ（Automatic White Balance）機能を働かせるために必要とされる物理量（本実施の形態では、ＣＣＤ１４による撮像によって得られた画像の明るさを示す量。）を検出するＡＥ・ＡＷＢ検出回路３６と、ＣＰＵ３２による各種処理の実行時のワークエリア等として用いられるＳＤＲＡＭ（Synchronous Dynamic Random Access Memory）により構成された第１メモリ３８と、主として撮影により得られたデジタル画像データを記憶するＶＲＡＭ（Video RAM）により構成された第２メモリ４０と、を含んで構成されている。
【００３６】
更に、デジタルカメラ１０は、スロットＳＬ１に装着された記録メディア４２Ａ及びスロットＳＬ２に装着された記録メディア４２Ｂをデジタルカメラ１０でアクセス可能とするためのメディアコントローラ４２を含んで構成されている。
【００３７】
以上の画像入力コントローラ２０、画像信号処理回路２２、圧縮・伸張処理回路２４、ビデオ／ＬＣＤエンコーダ２８、ＣＰＵ３２、ＡＦ検出回路３４、ＡＥ・ＡＷＢ検出回路３６、第１メモリ３８、第２メモリ４０、及びメディアコントローラ４２は、各々システムバスＢＵＳを介して相互に接続されている。
【００３８】
従って、ＣＰＵ３２は、画像入力コントローラ２０、画像信号処理回路２２、圧縮・伸張処理回路２４、及びビデオ／ＬＣＤエンコーダ２８の各々の作動の制御と、ＡＦ検出回路３４及びＡＥ・ＡＷＢ検出回路３６により検出された物理量の取得と、第１メモリ３８、第２メモリ４０、記録メディア４２Ａ、及び記録メディア４２Ｂへのアクセスと、を各々行うことができる。
【００３９】
また、前述した無線通信部４６もまたシステムバスＢＵＳに接続されており、ＣＰＵ３２は、クレードル８０の所定位置に配置された状態で、当該クレードル８０との間で相互通信を行うことができる。
【００４０】
一方、デジタルカメラ１０には、主としてＣＣＤ１４を駆動させるためのタイミング信号を生成してＣＣＤ１４に供給するタイミングジェネレータ４８が設けられており、当該タイミングジェネレータ４８の入力端はＣＰＵ３２に、出力端はＣＣＤ１４に、各々接続されており、ＣＣＤ１４の駆動は、ＣＰＵ３２によりタイミングジェネレータ４８を介して制御される。
【００４１】
更に、ＣＰＵ３２はモータ駆動部５０の入力端に接続され、モータ駆動部５０の出力端は光学ユニット１３に備えられた焦点調整モータ、ズームモータ及び絞り駆動モータに接続されている。
【００４２】
本実施の形態に係る光学ユニット１３に含まれるレンズ１２は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、焦点調整モータ、ズームモータ及び絞り駆動モータは各々ＣＰＵ３２の制御下でモータ駆動部５０から供給された駆動信号によって駆動される。
【００４３】
更に、前述のレリーズボタン６０、モード切替スイッチ６２、十字カーソルボタン６４、及び電源スイッチ６６の各種ボタン類及びスイッチ類（図３では、「操作部５２」と総称。）はＣＰＵ３２に接続されており、ＣＰＵ３２は、これらのボタン類及びスイッチ類に対する操作状態を常時把握できる。
【００４４】
一方、本実施の形態に係るデジタルカメラ１０には、無線タグ５６が備えられている。なお、前述した無線通信部４６には無線タグ５６に内蔵されたメモリ５６Ａ（図５も参照。）に記憶されている情報を読み出す機能も備えられており、ＣＰＵ３２は、無線通信部４６を介して無線タグ５６のメモリ５６Ａに記憶されている情報を読み出すことができる。このため、無線タグ５６は、メモリ５６Ａに記憶されている情報が読み出し可能なように無線通信部４６の近傍に配設されている。
【００４５】
一方、図４の破断側面図に示されるように、クレードル８０における、デジタルカメラ１０が所定位置に配置された状態（図４に示される状態）においてデジタルカメラ１０に設けられた無線通信部４６に対向（近接）する位置には、当該無線通信部４６との間で相互通信を行うことのできる無線通信部８６が設けられている。
【００４６】
また、クレードル８０における、デジタルカメラ１０が上記所定位置に配置された状態においてデジタルカメラ１０に設けられた無線タグ５６に対向（近接）する位置には、当該無線タグ５６に内蔵されたメモリ５６Ａに対する各種情報の書き込みやメモリ５６Ａに記憶されている各種情報の読み出しを行うことができる無線タグリーダ・ライタ８４が設けられている。
【００４７】
なお、図５に示されるように、無線タグリーダ・ライタ８４及び無線通信部８６はＰＣ９０に電気的に接続されており、ＰＣ９０は、クレードル８０の無線タグリーダ・ライタ８４を介したデジタルカメラ１０の無線タグ５６に対する情報の読み書きと、無線通信部８６を介したデジタルカメラ１０との無線通信を行うことができる。ここで、ＰＣ９０には、ＰＣ９０全体の動作を司るＣＰＵ９２が備えられており、上記無線タグ５６に対する情報の読み書きと、デジタルカメラ１０との無線通信は、ＣＰＵ９２の制御の下で行われる。
【００４８】
以上のように構成されたデジタルカメラ１０、クレードル８０、ＰＣ９０及びＤＣ電源９５により、本発明の動作モード設定システムとしてのカメラシステム９９が構成されている。
【００４９】
次に、本実施の形態に係るカメラシステム９９の作用を説明する。まず、撮影時におけるデジタルカメラ１０の作用を簡単に説明する。
【００５０】
光学ユニット１３を介した撮像によってＣＣＤ１４から出力された被写体像を示す信号は順次ＣＤＳ１６に入力されて相関二重サンプリング処理が施された後にＡＤＣ１８に入力され、ＡＤＣ１８は、ＣＤＳ１６から入力されたＲ（赤）、Ｇ（緑）、Ｂ（青）の信号を各々１２ビットのＲ、Ｇ、Ｂ信号（デジタル画像データ）に変換して画像入力コントローラ２０に出力する。
【００５１】
画像入力コントローラ２０は内蔵しているラインバッファにＡＤＣ１８から順次入力されるデジタル画像データを蓄積して一旦第２メモリ４０の所定領域に格納する。
【００５２】
第２メモリ４０の所定領域に格納されたデジタル画像データは、ＣＰＵ３２による制御下で画像信号処理回路２２によって読み出され、これらにＡＥ・ＡＷＢ検出回路３６により検出された物理量に応じたデジタルゲインをかけることでホワイトバランス調整を行うと共に、ガンマ処理及びシャープネス処理を行って８ビットのデジタル画像データを生成し、更にＹＣ信号処理を施して輝度信号Ｙとクロマ信号Ｃｒ、Ｃｂ（以下、「ＹＣ信号」という。）を生成し、ＹＣ信号を第２メモリ４０の上記所定領域とは異なる領域に格納する。
【００５３】
なお、ＬＣＤ３０は、ＣＣＤ１４による連続的な撮像によって得られた動画像（スルー画像）を表示してファインダとして使用することができるものとして構成されているが、このようにＬＣＤ３０をファインダとして使用する場合には、生成したＹＣ信号を、所定周期でビデオ／ＬＣＤエンコーダ２８を介して順次ＬＣＤ３０に出力する。これによってＬＣＤ３０にスルー画像が表示されることになる。
【００５４】
ここで、レリーズボタン６０がユーザによって全押し状態とされたときには、その時点で第２メモリ４０に格納されているＹＣ信号を、圧縮・伸張処理回路２４によって所定の圧縮形式（本実施の形態では、ＪＰＥＧ形式）で圧縮した後にメディアコントローラ４２を介して記録メディア４２Ａに画像ファイル（電子化ファイル）として記録することにより、撮影が行われる。
【００５５】
ところで、本実施の形態に係るデジタルカメラ１０は、図６に示すように、メーカにおいて、「組み立て工程」、「調整動作モード設定工程」、「調整工程」、「ユーザ動作モード設定工程」、及び「検査工程」の５段階の工程を経て出荷される。
【００５６】
ここで、組み立て工程はデジタルカメラ１０を組み上げる工程であり、調整動作モード設定工程は、組み上げられたデジタルカメラ１０に対して各部の調整が行われる際の動作モードである調整動作モードを設定する工程であり、調整工程は、当該調整を行う工程である。
【００５７】
一方、ユーザ動作モード設定工程は、上記調整が行われたデジタルカメラ１０に対してユーザにより使用される際の動作モードであるユーザ動作モードを設定する工程であり、更に、検査工程は、ユーザ動作モードに設定されたデジタルカメラ１０の出荷前検査を行う工程である。
【００５８】
なお、本実施の形態に係るカメラシステム９９では、上記調整動作モード設定工程による調整動作モードの設定と、上記ユーザ動作モード設定工程によるユーザ動作モードの設定を、デジタルカメラ１０の無線タグ５６のメモリ５６Ａにおける所定領域に対して、調整動作モード及びユーザ動作モードの何れの動作モードに設定するかを示す動作モード設定情報を記憶することにより行うものとしている。なお、本実施の形態に係るカメラシステム９９では、調整動作モードに設定することを示す動作モード設定情報として‘０’を、ユーザ動作モードに設定することを示す動作モード設定情報として‘１’を、各々適用している。
【００５９】
デジタルカメラ１０のＣＰＵ３２は、無線タグ５６によって記憶された動作モード設定情報を予め定められたタイミング（本実施の形態では、電源スイッチ６６をオン状態としたタイミング（電源投入時のタイミング））で無線通信部４６を介して読み出し、当該動作モード設定情報が調整動作モードに設定することを示すものである場合には調整動作モードが設定されているときの動作として予め定められた動作を行うように制御し、当該動作モード設定情報がユーザ動作モードに設定することを示すものである場合にはユーザ動作モードが設定されているときの動作として予め定められた動作を行うように制御する。
【００６０】
なお、上記調整工程における調整項目としては、ＣＣＤ１４による撮像感度の調整、不図示の内蔵電池からの電力を各部に供給する電源回路からの出力電圧値の調整、ホワイトバランス調整を行うためのアンプに対する初期ゲイン値の調整等を例示することができる。また、上記検査工程における検査項目としては、各種撮影動作チェック、各種再生動作チェック、通信動作チェック等を例示することができる。
【００６１】
本実施の形態に係るカメラシステム９９は、デジタルカメラ１０のメーカにおいて構成されるものであり、カメラシステム９９におけるＰＣ９０によって、「調整動作モード設定工程」、「調整工程」、「ユーザ動作モード設定工程」、及び「検査工程」の４段階の工程が、クレードル８０を介して実施される。
【００６２】
次に、図７を参照して、上記４段階の工程を実施する際のＰＣ９０の作用を説明する。なお、図７は、組み立て工程を経たデジタルカメラ１０（調整工程を経たデジタルカメラ１０も含む。）がクレードル８０の所定位置に配置された際に、ＰＣ９０に内蔵されたＣＰＵ９２によって実行される製造工程処理プログラムの処理の流れを示すフローチャートである。
【００６３】
同図のステップ１００では、デジタルカメラ１０の無線タグ５６から動作モード設定情報を読み出すように無線タグリーダ・ライタ８４を制御し、次のステップ１０２では、読み出した動作モード設定情報が調整動作モード及びユーザ動作モードの何れかの動作モードに設定することを示す情報（ここでは、‘０’又は‘１’）となっているか否かを判定することにより、デジタルカメラ１０に動作モードが未設定となっているか否かを判定し、肯定判定となった場合はステップ１０４に移行して、無線タグ５６のメモリ５６Ａの上記所定領域に調整動作モードに設定することを示す動作モード設定情報（ここでは、‘０’）を記憶するようにクレードル８０の無線タグリーダ・ライタ８４を制御し、その後にステップ１０６に移行する。なお、上記ステップ１０２において否定判定となった場合は、上記ステップ１０４の処理を実行することなくステップ１０６に移行する。上記ステップ１０４の処理が調整動作モード設定工程に相当する。
【００６４】
ステップ１０６では、この時点でデジタルカメラ１０に調整動作モードが設定されているか否か、すなわち、上記ステップ１００において読み出した動作モード設定情報がユーザ動作モードに設定することを示す情報でなかったか否かを判定し、肯定判定となった場合はステップ１０８に移行して、前述した調整工程の処理を実行する調整処理を実行し、その後にステップ１１２に移行する。なお、上記調整処理は、調整動作モードで動作する状態となっているデジタルカメラ１０に対して、前述した調整項目の調整を行わせるための情報をクレードル８０の無線通信部８６を介して送信することによって行う。当該情報を受信したデジタルカメラ１０は当該調整を実行するように作動する。上記ステップ１０８の処理が調整工程に相当する。
【００６５】
ステップ１１２では、無線タグ５６のメモリ５６Ａの上記所定領域にユーザ動作モードに設定することを示す動作モード設定情報（ここでは、‘１’）を記憶するようにクレードル８０の無線タグリーダ・ライタ８４を制御し、その後に本製造工程処理プログラムを終了する。上記ステップ１１２の処理がユーザ動作モード設定工程に相当する。
【００６６】
一方、上記ステップ１０６において否定判定となった場合は、この時点でデジタルカメラ１０にユーザ動作モードが設定されていると見なしてステップ１１０に移行し、前述した検査工程の処理を実行する検査処理を実行し、その後に本製造工程処理プログラムを終了する。なお、上記検査処理は、ユーザ動作モードで動作する状態となっているデジタルカメラ１０に対して、前述した検査項目の検査を行わせるための情報をクレードル８０の無線通信部８６を介して送信することによって行う。当該情報を受信したデジタルカメラ１０は当該検査を実行するように作動する。上記ステップ１１０の処理が検査工程に相当する。
【００６７】
以上詳細に説明したように、本実施の形態に係る撮影装置（ここでは、デジタルカメラ１０）では、メーカにおいて調整される際の動作モードである調整動作モード及びユーザにより使用される際の動作モードであるユーザ動作モードの何れの動作モードに設定するかを示す動作モード設定情報を記憶するための無線タグを備えると共に、前記無線タグによって記憶されている前記動作モード設定情報により示される動作モードで動作するように制御しているので、ユーザによる調整動作モードへの誤設定の発生を抑制することができる。
【００６８】
また、本実施の形態に係る動作モード設定システム（ここでは、カメラシステム９９）及び動作モード設定方法では、動作モード設定装置（ここでは、ＰＣ９０）により、前記撮影装置の無線タグに対して前記動作モード設定情報を記憶するようにしているので、動作モード設定装置をメーカのみが有するものとすることにより、ユーザによる調整動作モードへの誤設定の発生を抑制することができる。
【００６９】
なお、本実施の形態では、デジタルカメラ１０とＰＣ９０との間の通信を、クレードル８０を介して行う場合について説明したが、本発明はこれに限定されるものではなく、例えば、クレードル８０を介することなく直接通信を行う形態とすることもできる。この場合は、クレードル８０を設ける必要がなくなるため、本発明の動作モード設定システムを本実施の形態に比較して低コストで構成することができる。
【００７０】
また、本実施の形態では、デジタルカメラ１０の内部における、無線タグ５６に記憶されている情報の読み出しを無線通信部４６によって行う場合について説明したが、本発明はこれに限定されるものではなく、例えば、無線タグ５６に内蔵されたメモリ５６ＡとＣＰＵ３２とを電気的に接続し、有線にて読み出す形態とすることもできる。この場合も、本実施の形態と同様の効果を奏することができる。
【００７１】
その他、本実施の形態に係るデジタルカメラ１０及びカメラシステム９９の構成（図１〜図５参照。）は一例であり、本発明の主旨を逸脱しない範囲内において適宜変更可能であることは言うまでもない。
【００７２】
また、本実施の形態において説明した製造工程処理プログラムの処理の流れ（図７参照。）も一例であり、本発明の主旨を逸脱しない範囲内において、各ステップの処理順序の変更、不要なステップの削除、新たなステップの追加等を行うことができることは言うまでもない。
【００７３】
更に、本実施の形態では、本発明の撮影装置をデジタル電子スチルカメラに適用した場合について説明したが、本発明は、デジタルビデオカメラ、銀塩写真式カメラ等の他の撮影装置にも適用できることは言うまでもない。
【図面の簡単な説明】
【００７４】
【図１】実施の形態に係るデジタルカメラの外観を示す外観図である。
【図２】実施の形態に係るクレードルの外観上の構成を示す斜視図である。
【図３】実施の形態に係るデジタルカメラの電気系の要部構成を示すブロック図である。
【図４】実施の形態に係るカメラシステムの構成を示す破断側面図である。
【図５】実施の形態に係るカメラシステムにおける無線タグリーダ・ライタ及び無線通信部とＰＣとの間の接続状態を示すブロック図である。
【図６】実施の形態に係るデジタルカメラの製造工程を示す概略図である。
【図７】実施の形態に係る製造工程処理プログラムの処理の流れを示すフローチャートである。
【符号の説明】
【００７５】
１０    デジタルカメラ
３２    ＣＰＵ（制御手段）
５６    無線タグ
８０    クレードル
９０    ＰＣ
９２    ＣＰＵ（動作モード記憶手段）
９９    カメラシステム
【図１】
2007081564.tif 000003
【図２】
2007081564.tif 000004
【図３】
2007081564.tif 000005
【図４】
2007081564.tif 000006
【図５】
2007081564.tif 000007
【図６】
2007081564.tif 000008
【図７】
2007081564.tif 000009